(57)【要約】【課題】目視による製品検査の容易化を図る。【解決手段】ケースで囲まれた電気部品３を表わす型番５がケースカバー２の上壁１０の外側面に設けられているので、作業者が組み立てられた遊技制御装置の製品を目視で検査する場合において、作業者が型番５をケースのような別部材で遮られることなく直視し、回路設計図と型番５との照合が容易かつ適切となり、目視による検査を容易に行うことができる。しかも、型番５が電気部品３と対応する位置に設けられているので、型番５がどの電気部品３を表わすものであるかという、型番５と電気部品３との対応を作業者が容易かつ的確に把握し、目視による検査に対する作業者の負担も軽減することができる。【選択図】        図１
2004200609.tif 000002
【特許請求の範囲】
【請求項１】
透過性を有するケースの内部空間に電気部品の実装された制御基板を格納した遊技制御装置において、電気部品の型番をケースに電気部品と対応する位置に設けたことを特徴とする遊技制御装置。
【請求項２】
型番がケースに型成形されたことを特徴とする請求項１記載の遊技制御装置。
【発明の詳細な説明】
【０００１】
【発明の属する技術分野】
本発明はパチンコ機やスロットマシンなどのような遊技の結果の賞として遊技媒体を払い出す遊技機に用いられる遊技制御装置であって、特に、電気部品の識別情報を設ける構造に関する。
【０００２】
【従来の技術】
従来の遊技制御装置は透過性を有するケースの内部空間に電気部品の実装された制御基板を格納している。この制御基板の電気部品周りには当該電気部品の個々を識別するための型番が印刷されている（例えば、特許文献１参照）。
【０００３】
【特許文献１】
特開２０００−１６７２０３号公報（第１頁、要約、図４）
【０００４】
【発明が解決しようとする課題】
電気部品の中には外形や端子など外観形状が同じでも機能の異なる（型番の異なる）ものが存在するため、部品実装工程で、外観が同じで型番の異なる部品が制御基板に実装されたまま、当該制御基板をケースに格納し、ケースを止ねじで固定し、遊技制御装置として完成してしまう組立間違いがあった。このような間違いが検査工程で回路設計図と照合することで発見されると、ケースの止ねじを取り外し、制御基板から上記間違いの部品を取り外し、正規の部品を制御基板に実装し直している。しかしながら、前記従来例は制御基板の印刷された型番をケースの外側から目で見る構造であるため、上記検査工程における回路設計図とケースの内部に格納された実装部品の型番とを照合するのに多大な労力と時間を要するという問題点があった。
【０００５】
そこで、本発明は、部品の型番をケースに設けて、目視による検査を容易に行うことができる遊技制御装置を提供するものである。
【０００６】
【課題を解決するための手段】
本発明にあっては、透過性を有するケースの内部空間に電気部品の実装された制御基板を格納した遊技制御装置において、電気部品の型番をケースに電気部品と対応する位置に設けたことによって、ケースで囲まれた電気部品を表わす型番がケースに設けられているので、作業者が組み立てられた遊技制御装置の製品を目視で検査する場合において、作業者が型番を直視することができ、目視による検査を容易に行うことができる。しかも、型番が電気部品と対応する位置に設けられているので、型番がどの電気部品を表わすものであるかという、型番と電気部品との対応を作業者が容易かつ的確に把握することができるので、目視による検査に対する作業者の負担も軽減することができる。また、本発明にあっては、型番がケースに型成形されれば、型番をケースに取り付ける手間が省ける。
【０００７】
【発明の実施の形態】
図１−図３は第１実施形態であって、図１は遊技制御装置の組み立てた断面を示し、図２は遊技制御装置の分解した外観を示し、図３は遊技制御装置の組み立てた外観を示す。
【０００８】
図２を参照し、遊技制御装置について説明する。遊技制御装置は無色な透過性を有する合成樹脂製のケースベース１と無色な透過性を有する合成樹脂製のケースカバー２とからなるケースの内部に電気部品３の実装された制御基板４を格納し、ケースカバー２の上面（上壁１０の外側面）に電気部品３の型番５の印刷されたシール６を接着することで、型番５がケースカバー２の上面に電気部品３と対応する位置に設けられた構造である。ケースベース１は方形板状の底壁７の周縁から上方に突出したリブ８が底壁７を一巡する環状に設けられ、リブ８の四隅に貫通孔９を備える。ケースカバー２は方形板状の上壁１０の周縁から下方に突出した側壁１１が上壁１０を一巡する環状に設けられ、或る１つの側壁１１である前壁の下部から横方向に張り出した下段部１２を備え、上壁１０と側壁１１とで囲まれた内部の左右に相対峙する２つの隅部と下段部１２の左右に相対峙する２つの隅部とにねじ結合部１３；１４を備える。
【０００９】
そして、ケースベース１とケースカバー２とが組みあわされた場合、ねじ結合部１３；１４と貫通孔９とが同軸状に向き合う形態である。下段部１２にはコネクタ逃孔１５が形成される。制御基板４はプリント配線基板のような回路基板であって、表面にマイクロコンピュータ、ＲＯＭ、ＲＡＭ、コンデンサ、抵抗器、コイルなどの電気部品３やコネクタ１６が挿入実装され、裏面に当該実装された電気部品３の足と呼ばれるような電極がプリント配線基板におけるプリント配線に半田で結合された形態である。制御基板４にケースカバー２が被せられた場合、コネクタ１６の相手側コネクタを嵌め込む部分はコネクタ逃孔１５を経由してケースカバー２の外部に突出する。制御基板４の四隅には取付孔１７をケースベース１の貫通孔９と対応する位置に備える。シール６はケースカバー２の上壁１０よりも小さな相似形の無色な透過性を有する合成樹脂からなるフィルムのような厚さの薄い板状であって、その一表面には制御基板４に実装された電気部品３のそれぞれを個別に表わす型番５が印刷された形態である。
【００１０】
遊技制御装置は次のように組み立てられる。電気部品３の実装された制御基板４がケースベース１の上に載せられる。その場合、制御基板４の電気部品３の実装された側を上に向けた格好で、制御基板４における裏面の周縁部がケースベース１のリブ８の上に接触され、制御基板４の取付孔１７とケースカバー２の貫通孔９とが同軸状で位置が合う。その状態において、ケースカバー２が電気部品３を覆うように制御基板４に被せられる。それによって、ケースカバー２の側壁１１が制御基板４の周囲を通過してケースベース１におけるリブ８よりも外側に位置した底壁７の上面に突き当てられ、ケースカバー２におけるねじ結合部１３；１４の下面と下段部１２の内面とが制御基板４における電気部品３の周りの表面に接触する。
【００１１】
その状態において、止ねじ１８がケースベース１の外側から貫通孔９および取付孔１７を経由してねじ結合に締結されることによって、ケースベース１とケースカバー２とが制御基板４を上下方向両側から挟み付けるとともに、電気部品３の実装された制御基板４がケースベース１とケースカバー２とで囲まれる内部空間に格納された形態で、ケースベース１とケースカバー２と制御基板４とが互いに組み合わされ、図１および図３に示す遊技制御装置として組み立てられる。この組み立てられた遊技制御装置においては、遊技制御装置に実装されたコネクタ１６の相手側コネクタを嵌め込む部分はコネクタ逃孔１５を経由してケースカバー２の外部に突出されている。この組み立てと並行し、または、組み立て後に、シール６が図外の接着剤でケースカバー２の上壁１０の外側面に接着されることで、型番５がケースカバー２における上壁１０の外側面に電気部品３と対応する位置に設けられる。
【００１２】
第１実施形態の構造によれば、図１および図３に示すように、ケースで囲まれた電気部品３を表わす型番５がケースの上面としてケースカバー２の上壁１０の外側面に設けられているので、作業者が組み立てられた遊技制御装置の製品を目視で検査する場合において、作業者が型番５をケースのような別部材で遮られることなく直視し、回路設計図と型番５とを照合するのを容易かつ適切に行うことができ、目視による検査を容易に行うことができる。しかも、型番５が電気部品３と対応する位置に設けられているので、型番５がどの電気部品３を表わすものであるかという、型番５と電気部品３との対応を作業者が容易かつ的確に把握することができるので、目視による検査に対する作業者の負担も軽減することができる。
【００１３】
図４は第２実施形態に係る型番５の断面を示す。図４において、２０；２１はケースカバー２を成形するための成形型であって、双方の成形型２０；２１を合わせた場合に形成される成形空間にケースカバー２の成形材料を注入して固化することで、ケースカバー２が成形される。上記成形空間を囲むケースカバー２における上壁１０の外側面に対応する面には型番形成部２２を備える。よって、成形空間にケースカバー２の成形材料を注入して固化することで、型番形成部２２の反転形状として型番５が形成される。第２実施形態によれば、シール６をケースカバー２に接着する手間が省ける。
【図面の簡単な説明】
【図１】第１実施形態の遊技制御装置を示す断面図。
【図２】第１実施形態の遊技制御装置を示す分解斜視図。
【図３】第１実施形態の遊技制御装置を示す斜視図。
【図４】第２実施形態の型番を示す断面図。
【符号の説明】
１  ケースベース
２  ケースカバー
３  電気部品
４  制御基板
５  型番
１０  上壁
【図１】
2004200609.tif 000003
【図２】
2004200609.tif 000004
【図３】
2004200609.tif 000005
【図４】
2004200609.tif 000006